(57)【要約】【課題】本発明は、広角の照明範囲をもつ発光ダイオード電球を提供する。【解決手段】台座放熱モジュールと、球形のランプカバーとによって構成する。台座放熱モジュールの一端には回路基板が設けられるとともに、回路基板には、ＣＯＢ即ちＣＨＩＰ  ＯＮ  ＢＯＡＲＤによって高パワーの発光ダイオードが設けられる。また、球形のランプカバーは、台座放熱モジュールの発光ダイオード上方に被せられる。【選択図】図１
2011222468.tif 000002
【特許請求の範囲】
【請求項１】
台座放熱モジュールと、球形のランプカバーとによって構成する広角の照明範囲をもつ発光ダイオード電球において、
台座放熱モジュールの一端には回路基板が設けられるとともに、回路基板には少なくとも一つの発光ダイオードが設けられ、発光ダイオードは、ＣＯＢ即ちＣＨＩＰ  ＯＮ  ＢＯＡＲＤによって回路基板に設けられ、
球形のランプカバーは、台座放熱モジュールの発光ダイオード上方に被せられ、それにより、高パワーの発光ダイオードから射出された強い白光は、球形のランプカバーから極めて広い角度で放出されることを特徴とする、広角の照明範囲をもつ発光ダイオード電球。
【請求項２】
前記ランプカバーの内壁には、光線を均一にする反射材料が塗布されることを特徴とする、請求項１に記載の広角の照明範囲をもつ発光ダイオード電球。
【発明の詳細な説明】
【技術分野】
【０００１】
本発明は、従来の電球のように放射状に発光するため、広角の照明範囲をもつ発光ダイオード電球に関する。
【背景技術】
【０００２】
発光ダイオード（ＬＥＤ）は、蛍光灯、天井照明、探照灯、電球等の各種照明に使用されており、一定の効果を発揮している。しかしながら、発光ダイオードは、単一方向へしか光が放射されないため、懐中電灯、探照灯、天井照明、蛍光灯などの単一方向へ射出される照明器具に対する使用には適しているが、発光ダイオードを、放射状に発光し広角の照明範囲をもつ電球に適用させるのは、設計上、従来の発光ダイオードの照明器具に比べ大幅に難しく、多くの克服しなければならない難題がある。
【０００３】
図６は、従来の発光ダイオード電球の構造を示している。従来の発光ダイオード電球は、一端に回路基板６０を具える台座５０が設けられ、回路基板６０には、表面実装技術（ＳＭＴ）によって複数の発光ダイオード７０が設けられ、さらに、球形のランプカバー（図示せず）がその上に設けられることにより、電球が形成されている。また、図７に示すように、上述の発光ダイオード７０の構造には、傾斜をもつ外周壁７１が設けられている。外周壁７１の内側は、蛍光粉入り封止材料７２で発光ダイオードチップ７３が封止され、発光ダイオードチップ７３が発光した後、光は前方に向かって外周壁７１に沿いながら射出される。しかしながら、この種の構造は、使用上、以下の欠点を有している。
【０００４】
１、発光ダイオードチップ７３から外に向かって発射された光は、周囲の外周壁７１に遮られるため、通常の投射角度は１２０度以内になる。従って、この種の電球は、広い射出角度をもつ照明にすることができないという欠点がある。
【０００５】
この欠点に関して、図８及び添付資料の実際の撮影画像で示している。添付資料撮影画像の左上は従来の発光ダイオード電球の撮影画像である。最も強い輝度の第一光強度分布線Ｃ１と次に強い輝度の第二光強度分布線Ｃ２は、いずれも台座５０端面の水平線Ｌ０より上、或いは付近に位置するため、ランプカバー８０の下方周縁が著しく暗くなって輝度不足になっている。
【０００６】
２、また、図６に示すように、従来の発光ダイオード７０は既にパッケージングされたチップであるため、表面実装技術（ＳＭＴ）によってチップを台座５０の回路基板６０にハンダ付けしなければならないが、体積が大きく作業スペースも必要になるため、各発光ダイオード７０間の距離Ｓが大きくなり、複数の発光ダイオード７０を使用する際に、面積の大きい回路基板６０が必要になるだけでなく、放熱モジュールも大きくなり、コストが高くなるとともに、製品の体積も大きく重くなるという欠点がある。
【発明の概要】
【発明が解決しようとする課題】
【０００７】
そこで、本発明は、広角の照明範囲をもつ発光ダイオード電球を提供することを目的とする。
【課題を解決するための手段】
【０００８】
本発明による広角の照明範囲をもつ発光ダイオード電球は、台座放熱モジュールと、球形のランプカバーとによって構成する。台座放熱モジュールの一端には回路基板が設けられるとともに、回路基板には、ＣＯＢ即ちＣＨＩＰ  ＯＮ  ＢＯＡＲＤによって高パワーの発光ダイオードが設けられる。また、球形のランプカバーは、台座放熱モジュールの発光ダイオード上方に被せられる。本発明を使用する際、発光ダイオードはＣＯＢ即ちＣＨＩＰ  ＯＮ  ＢＯＡＲＤによって回路基板に設けられているため、発光ダイオードの発光角度は１８０度近くになり、さらに、球形のランプカバー内壁の特殊な塗布処理により、電球からの発光角度は２７０度以上に達する。また、最も強い輝度の光の分布領域は台座端面の水平線以下に達するため、電球の下半部の周辺も高い輝度をもつ。
【発明の効果】
【０００９】
本発明は、発光角度及び発光の均一度で言うと、従来のタングステン電球や省エネ電球の放射状の発光と同等の効果をもっている上、本発明はＬＥＤ電球を使用しているため、コストが低く且つ寿命が長く、更には環境保護に役立つ、輝度が高いといった利点もある。
【図面の簡単な説明】
【００１０】
【図１】本発明の構造を示した斜視図である。
【図２】本発明の構造を示した断面図である。
【図３】本発明の使用効果を示した説明図である。
【図４】本発明の光強度分布を示した説明図である。
【図５】ＣＯＢ、即ちＣＨＩＰ  ＯＮ  ＢＯＡＲＤによって発光ダイオードを回路基板に設けた本発明の発光角度を示した説明図である。
【図６】従来の発光ダイオード電球内の台座と発光ダイオードを示した斜視図である。
【図７】パッケージングされた発光ダイオードをＳＭＴによって回路基板上に設けた従来の発光ダイオード電球の発光角度を示した説明図である。
【図８】従来の発光ダイオード電球の光強度分布を示した説明図である。
【発明を実施するための形態】
【００１１】
図１と図２に示すように、本発明は、台座放熱モジュール１０と、球形のランプカバー４０とによって構成する。
【００１２】
台座放熱モジュール１０の一端には回路基板２０が設けられるとともに、回路基板２０には少なくとも一つの発光ダイオード３０が設けられる。なお、本実施例において、発光ダイオード３０は六個であり、ＣＯＢ、即ちＣＨＩＰ  ＯＮ  ＢＯＡＲＤによって回路基板２０に設けられる。
【００１３】
図５に示すように、発光ダイオード３０は、ＣＯＢ、即ちＣＨＩＰ  ＯＮ  ＢＯＡＲＤによって回路基板２０に設けられるため、発光ダイオード３０の光は、ほぼ直接、回路基板２０から外に向かって拡散して射出され、発光角度Θ１は約１８０度に達する。
【００１４】
図１と図２に示す台座放熱モジュール１０は、発光ダイオード３０から生じる熱を吸収して伝導させ、消散させる。
【００１５】
球形のランプカバー４０は、台座放熱モジュール１０の発光ダイオード３０の上方に被せられ、ランプカバー４０の内壁４００は球面形状である。図２と図３に示すように、発光ダイオード３０が強い白光を発する時、その光はランプカバー４０の内壁４００へと均一に放出される。放出された光線Ｌ１が、垂直、或いは垂直に近い角度でランプカバー４０の内壁４００に投射された場合はランプカバー４０を通過する。光線Ｌ２が、傾いた角度でランプカバー４０の内壁４００に投射された場合は、ランプカバー４０内で反射して、最終的にランプカバー４０を通過する。それにより、電球の全方向への光の投射を達成することができる。
【００１６】
また、電球内部の光の反射を均一にさせるために、ランプカバー４０の内壁４００には、光線を均一にさせるための反射材料が塗布され、均一な輝度を得ることができる。
【００１７】
以上のように、本発明を使用する際、図３と図４に示すように、本発明の発光ダイオード３０は、ＣＯＢ、即ちＣＨＩＰ  ＯＮ  ＢＯＡＲＤによって回路基板２０に設けられるため、発光ダイオード３０の発光角度は１８０度近くになり、さらに、球形のランプカバー４０の内壁４００の反射により、電球から放出される光の角度Θは、２７０度以上に達する。また、最も強い輝度の第一光強度分布線Ｃ１と、次に強い輝度の第二光強度分布線Ｃ２は、いずれも台座５０端面の水平線Ｌ０より下に達しており、電球の下半部の周囲も高い輝度をもつ。この点に関しては、本発明の添付資料の実際の撮影画像で証明できる。添付資料の右下方の撮影画像は本発明である。その輝度は電球の下方周辺まで広がっている。この照明効果は、添付資料の左下方のタングステン電球及び右上方の省エネ電球の放射状の発光効果と同じであるが、本発明はＬＥＤ電球を使用しているため、コストが低く且つ寿命が長く、更には環境保護に役立つ、輝度が高いといった利点もある。
【符号の説明】
【００１８】
１０  台座放熱モジュール          
２０  回路基板
３０  発光ダイオード            
４０  ランプカバー
４００内壁        
４１  空間
５０  台座                  
６０  回路基板
７０  発光ダイオード            
７１  外周壁
７２  蛍光粉入り封止材料            
７３  発光ダイオードチップ
８０  ランプカバー                  
Ｃ１  第一光強度分布線
Ｃ２  第二光強度分布線        
Ｌ０  水平線
Ｌ１  光線                  
Ｌ２  光線
Θ    角度                    
Θ１  角度
Ｓ    距離
【図１】
2011222468.tif 000003
【図２】
2011222468.tif 000004
【図３】
2011222468.tif 000005
【図４】
2011222468.tif 000006
【図５】
2011222468.tif 000007
【図６】
2011222468.tif 000008
【図７】
2011222468.tif 000009
【図８】
2011222468.tif 000010